(57)【要約】【課題】  下枠５の上面の体裁を良好にし、且つ、この下枠５の上面に存在する凹部１８内への異物の落下を防止できる構造で、組立作業やカバー帯２８の交換作業の容易化を図る。【解決手段】  同一鉛直面上に配置された１対のガラス障子３を窓枠１内に、この窓枠１の幅方向中間部を境とした引き分け式に建て込んだ構造で、下枠５として上面に下部案内レール１７を備えたものを使用する。この下部案内レール１７の上端縁を、上記下枠５の上面のうちで人や物が移動する部分よりも下方に位置させる。上記ガラス障子３の移動に伴って露出する上記凹部１８の上端開口を、上記カバー帯２８により覆う。このカバー帯２８の一端を突き合わせ框の下端部に結合し、中間部乃至他端部を、上記下枠５の下部空間２９内に収納する。【選択図】  図３
2006144335.tif 000002
【特許請求の範囲】
【請求項１】
それぞれ水平方向に設置された下枠と上枠との間の同一鉛直面内に１対の引戸障子を、閉鎖時に互いに対向する竪框同士が突き合わされる状態で建て込んで成り、これら両引戸障子は、それぞれの下辺を構成する下框に複数の戸車を、横軸を中心とする回転自在に支持すると共に、これら各戸車の外周面に全周に亙って形成した凹溝を、上記下枠の上面に形成した下部案内レールと係合させる事により、上記同一鉛直面内での水平移動を自在としている引戸装置に於いて、上記下部案内レールは、上記下枠の上面に上記両引戸障子の移動方向に亙って存在する凹部の底面から上方に突出した状態で設けられ、その上端縁がこの下枠の上面のうちでこの凹部の両側に存在する部分よりも上方には突出しないものであり、それぞれが可撓性及び押し付け力により移動可能な程度の剛性を有する材料により造られた１対のカバー帯が、上記凹部の上端開口部を覆う状態で設けられており、これら両カバー帯の一端部が、上記両引戸障子の下端部のうちで、閉鎖時に互いに突き合わされる側の端部に結合されており、上記下枠の中間部で閉鎖時に上記両竪框の突き合わせ部の下側に位置する部分に、上記両カバー帯の中間部をそれぞれ、これら両カバー帯同士の間で互いに反対方向に１８０度折り返して、これら両カバー帯の一部を、上記下枠のうちで上記凹部よりも下側に存在する下部空間内に導入するガイドブロックが設けられており、このガイドブロックは、上記両カバー帯の中間部をそれぞれ１８０度ずつ折り返す為の、それぞれが半円形である１対のガイド部を、これら両ガイド部の突縁同士を互いに対向させた状態で下枠の長さ方向に間隔をあけて配置されたものであり、上記ガイドブロックは、その下面を下枠の中間部上面の凹部内で下部案内レールを除去した部分に、このガイドブロックの下面とこの凹部の底面とを当接させた状態で、このガイドブロックを上下方向に挿通したねじにより固定されており、上記引戸障子の移動に伴って上記カバー帯が、上記下部空間と上記凹部の上端開口部との間で移動して、この上端開口部で上記両引戸障子により覆われていない部分を覆う事を特徴とする引戸装置。
【請求項２】
下部案内レールの上端縁が下枠の上面のうちで凹部の両側に存在する部分よりも下方に位置し、この凹部を仕切る１対の内側面の上端部開口寄り部分に、カバー帯の両端縁を係合させてこのカバー帯を案内する１対のガイド溝が設けられている、請求項１に記載した引戸装置。
【請求項３】
カバー帯が金属板製であり、１対のガイド溝が、１対の内側面の上端部開口寄り部分に係止された合成樹脂製のガイド部材に設けられている、請求項２に記載した引戸装置。
【請求項４】
凹部の底面でガイドブロックの下側に位置する部分に、上方から差し込まれたカバー帯の進行方向を上下方向から水平方向に変換して下部空間に導く為のガイド面を有する、補助ガイドブロックを設置した、請求項１〜３の何れか１項に記載した引戸装置。
【請求項５】
下部空間内に、内側にカバー帯を挿入できるガイドチューブを、このガイドチューブの一部を下枠中央部でガイドブロックを挟む位置に開口させた状態で設置し、両引戸障子の水平移動に伴って上記両カバー帯を、上記ガイドブロックに案内しつつ、上記ガイドチューブと凹部の上端開口部との間で移動させる、請求項１〜４の何れか１項に記載した引戸装置。
【請求項６】
１対の第二カバー帯が、下枠上面の凹部のうちの両引戸障子を閉鎖方向に移動させた状態で露出する部分を覆う状態で設けられており、上記両第二カバー帯の一端部が、上記両引戸障子の下端部のうちで互いに反対側の端部に結合されており、これら両第二カバー帯が、上記両引戸障子の開放方向への移動に伴って、下枠の端部と上枠の端部とを連結した竪枠内に収納される、請求項１〜５の何れか１項に記載した引戸装置。
【発明の詳細な説明】
【技術分野】
【０００１】
この発明は、バリアフリーサッシと呼ばれる、下枠の上面を平坦にした窓枠に引戸障子を建て込んで成る引戸装置の改良に関する。
【背景技術】
【０００２】
高齢者や身体障害者の移動の容易性を確保する為に、バリアフリーサッシと呼ばれる、下枠の上面を平坦にした窓枠の構造が、例えば特許文献１〜４に記載される等により、従来から各種知られている。これら各特許文献に記載された構造は、何れも、引戸障子の下框に設置した戸車の外周面が単なる円筒面で、上記下枠の上面でこの戸車の外周面が転がり接触する部分が平坦面となっている。
【０００３】
この様な従来構造の場合、戸車として、従来一般的に使用されていたものとは異なる、特殊なものを使用する為、今後広く普及しない限り、コストが嵩む可能性がある。特に現状では、故障した戸車を修理・交換する際に、戸車の取り寄せに要する手間やコストが、一般的な、外周面に全周に亙って凹溝を形成したものに比べて嵩む可能性がある。又、戸車と下枠との係合部で、引戸障子の屋内外方向に関する位置決めを図れない為、別途この引戸障子の屋内外方向に関する位置決めを図る為の構造が必要になる。
【０００４】
この様な事情を考慮した場合、下枠として上面に下部案内レールを備えたものを使用すると共に、この下部案内レールの上端縁を、この下枠の上面のうちで人や物が移動する部分よりも下方に位置させる構造を採用する事が有利である。この場合、下枠の上面に凹部を、引戸障子の移動方向に亙って設け、上記下部案内レールを、この凹部の底面から上方に突出する状態で設ける。従って、上記下枠の上面には、この凹部の開口部が存在し、この開口部の中央部に上記下部案内レールの上端縁が存在する状態となる。
【０００５】
即ち、上記凹部及び下部案内レールは、上記下枠の全長に亙って設けるのに対し、上記引戸障子の長さ（幅）はこの下枠の全長よりも短い。この為、上記凹部の開口部及び下部案内レールの上端縁の長さ方向の一部は、上記引戸障子により覆われる事なく露出する。この為、当該部分の体裁が悪くなるだけでなく、異物が上記凹部内に落下した場合に、この異物を取り出しにくくなる。即ち、上記凹部の開口部のほぼ中間部に上記下部案内レールの上端縁が存在する為、この開口部は幅方向に２分割されて狭くなる。この結果、上記凹部内にピン等の異物が落下した場合に、この異物を取り出しにくくなる。
【０００６】
特許文献５には、昇降式のシャッタの両側縁部を案内する為の昇降案内溝の一部で、シャッタパネルを巻き上げた場合にこのシャッタパネルの下方に露出する部分を、帯状封止材により覆う構造が記載されている。但し、この様な特許文献５に記載された構造は、鉛直方向に存在する溝の開口部を覆う事のみを意図していて、引戸装置の下枠の上面に存在する溝部の上端開口を覆う事を意図しているものではない。又、帯状封止材を巻き取り機構により巻き取る等、構造が複雑で、設置スペースが限られた引戸装置に適用する事は難しい。
【０００７】
この様な事情に鑑みて、特願２００３−３５０５９３号、特願２００３−３７６０９２号、特願２００４−４５１９２号等には、コストを抑えつつバリアフリー化を可能にし、且つ、美観の向上と異物の落下防止とを図れる構造を実現できる、引戸装置に関する発明が記載されている。これら先発明に係る構造の場合には、下枠として上面に下部案内レールを備えたものを使用する事により、戸車として、広く使用されている低価格品を使用可能にする。又、上記下部案内レールの上端縁を、上記下枠の上面のうちで人や物が移動する部分よりも下方に位置させる事で、バリアフリー化を可能にする。更に、上記各下部案内レールを設置した凹部の上端開口部で、ガラス障子により覆われない部分を、カバー帯により覆い、美観の向上と異物の落下防止とを図る。これら各カバー帯の中間部は上記下枠内に配設し、上記ガラス障子の移動に伴って上記上端開口部に引き出す。
【０００８】
上述の様な先発明に記載された構造の場合には、同一平面上に配置された１対の引戸障子を窓枠内に、この窓枠の幅方向中間部を境とした引き分け式に建て込んだ構造で実施する場合に、組立作業が面倒になる。即ち、上記先発明の場合には、この様な引き分け式の引戸装置に関しては、カバー帯の両端部を引戸障子の両下端部に連結するとしている。この為、このカバー帯を弛みなく組み付ける為の調整作業が必要になり、建設現場での引戸装置の組立作業が面倒になるだけでなく、傷んだカバー帯の交換作業を行なう際に、窓枠から引戸障子を取り外す必要がある等、修理の為の作業も面倒になる。
【０００９】
【特許文献１】実公昭５５−１９８１４号公報
【特許文献２】特開２０００−９６９３４号公報
【特許文献３】特許第３２３３９２０号公報
【特許文献４】特許第３２３３９２１号公報
【特許文献５】特開平５−３４０１７３号公報
【発明の開示】
【発明が解決しようとする課題】
【００１０】
本発明は、上述の様な事情に鑑みて発明したものである。具体的に本発明は、同一平面上に配置された１対の引戸障子を窓枠内に、この窓枠の幅方向中間部を境とした引き分け式に建て込んだ構造を対象とする。又、下枠として上面に下部案内レールを備えたものを使用すると共に、この下部案内レールの上端縁を、この下枠の上面のうちで人や物が移動する部分よりも下方に位置させる。そして、この様な構造で、しかも、下枠上面の体裁を良好にし、且つ、凹部内への異物の落下を防止できる構造の、組立作業やカバー帯の交換作業の容易化を図るものである。
【課題を解決するための手段】
【００１１】
本発明の引戸装置は、従来から一般的に実施されている引戸装置と同様に、それぞれ水平方向に設置された下枠と上枠との間の同一鉛直面内に１対の引戸障子を、閉鎖時に互いに対向する竪框同士が突き合わされる状態で建て込んで成る。又、これら両引戸障子は、それぞれの下辺を構成する下框に複数の戸車を、横軸を中心とする回転自在に支持すると共に、これら各戸車の外周面に全周に亙って形成した凹溝を、上記下枠の上面に形成した下部案内レールと係合させる事により、上記同一鉛直面内での水平移動を自在としている。
【００１２】
特に、本発明の引戸装置に於いては、上記下部案内レールは、上記下枠の上面に上記両引戸障子の移動方向に亙って存在する凹部の底面から上方に突出した状態で設けられ、その上端縁がこの下枠の上面のうちでこの凹部の両側に存在する部分よりも上方には突出しないものである。
又、それぞれが可撓性及び押し付け力により移動可能な程度の剛性を有する材料により造られた１対のカバー帯が、上記凹部の上端開口部を覆う状態で設けられており、これら両カバー帯の一端部が、上記両引戸障子の下端部のうちで、閉鎖時に互いに突き合わされる側の端部に結合されている。
そして、上記下枠の中間部で閉鎖時に上記両竪框の突き合わせ部の下側に位置する部分に、上記両カバー帯の中間部をそれぞれ、これら両カバー帯同士の間で互いに反対方向に１８０度折り返して、これら両カバー帯の一部を、上記下枠のうちで上記凹部よりも下側に存在する下部空間内に導入するガイドブロックが設けられている。
このガイドブロックは、上記両カバー帯の中間部をそれぞれ１８０度ずつ折り返す為の、それぞれが半円形である１対のガイド部を、これら両ガイド部の突縁同士を互いに対向させた状態で下枠の長さ方向に間隔をあけて配置されたものである。
又、上記ガイドブロックは、その下面を下枠の中間部上面の凹部内で下部案内レールを除去した部分に、このガイドブロックの下面とこの凹部の底面とを当接させた状態で、このガイドブロックを上下方向に挿通したねじにより固定されている。
そして、上記引戸障子の移動に伴って上記カバー帯が、上記下部空間と上記凹部の上端開口部との間で移動して、この上端開口部で上記両引戸障子により覆われていない部分を覆う様にしている。
【発明の効果】
【００１３】
上述の様に構成する本発明の引戸装置の場合、下枠として上面に下部案内レールを備えたものを使用する為、引戸障子の下框に設ける戸車として、外周面に全周に亙って凹溝を形成したものを使用できる。この為、戸車自体のコストを低く抑えられる他、戸車と下部案内レールとの係合部で、引戸障子の屋内外方向に関する位置決めを図れる。従って、別途この引戸障子の屋内外方向に関する位置決めを図る為の構造を設ける必要がなく、この面からもコスト低減を図れる。
又、上記下部案内レールの上端縁を、この下枠の上面のうちで人や物が移動する部分よりも下方に位置させているので、下枠の上面を実質的に平坦にして、この人や物の移動を容易に行なえる様にできる。
【００１４】
又、上記下部案内レールの上端縁を上方に突出させない様にする為、上記下枠の上面に設けた凹部の上端開口部で上記引戸障子により覆われていない部分をカバー帯により覆う為、上記下枠上面の体裁を良好にし、且つ、上記凹部内への異物の落下を防止できる。上記カバー帯は、両端部を上記引戸障子の両縦辺の下端部に連結すると共に、このカバー帯の一部を上記下枠内部の下部空間内に配設している。この下部空間部分は、その上方に、窓開口の閉鎖時に上記引戸障子が移動する。従ってこの下部空間部分の長さは、この引戸障子の幅以上ある。この為、上記引戸障子の移動距離に関係なく、上記カバー帯を窓枠内に確実に収納できる。
【発明を実施するための最良の形態】
【００１５】
本発明を実施する場合に好ましくは、請求項２に記載した様に、下部案内レールの上端縁を下枠の上面のうちで凹部の両側に存在する部分よりも下方に位置させる。又、この凹部を仕切る１対の内側面の上端部開口寄り部分に、カバー帯の両端縁を係合させてこのカバー帯を案内する、１対のガイド溝を設ける。
この様に構成すれば、上記カバー帯の両端縁が上記凹部の開口縁部から浮き上がる事を確実に防止できる。この結果、この凹部内に細かい異物が入り込んだり、上記カバー帯に何らかの物が引っ掛かる事を有効に防止できる。
【００１６】
又、上記請求項２に記載した発明を実施する場合に好ましくは、請求項３に記載した様に、カバー帯を金属板製とし、１対のガイド溝を、１対の内側面の上端部開口寄り部分に係止された合成樹脂製のガイド部材に設ける。
この様に構成すれば、上記カバー帯に十分な強度及び剛性を持たせ、且つ、このカバー帯と、アルミニウム合金の押し出し型材製の下枠との擦れ合い部で、耳障りな音が発生する事を防止できる。
【００１７】
又、本発明を実施する場合に好ましくは、請求項４に記載した様に、凹部の底面でガイドブロックの下側に位置する部分に、上方から差し込まれたカバー帯の進行方向を上下方向から水平方向に変換して下部空間に導く為のガイド面を有する、補助ガイドブロックを設置する。
この様な補助ガイドブロックを設置すれば、修理等の為に、既に設置されている下枠内に新たなカバー帯を差し込む作業を容易に行なえる。
【００１８】
又、本発明を実施する場合に好ましくは、請求項５に記載した様に、下部空間内に、その内側にカバー帯を挿入できるガイドチューブを、このガイドチューブの一部を下枠中央部でガイドブロックを挟む位置に開口させた状態で設置する。そして、両引戸障子の水平移動に伴って上記両カバー帯を、上記ガイドブロックで案内しつつ、上記ガイドチューブと凹部の上端開口部との間で移動させる。
この様に構成すれば、上記下部空間内での上記カバー帯の姿勢を安定させて、この下部空間と、下枠上面の凹部の上端開口部との間での、このカバー帯の受渡を安定した状態で行なえる。
【００１９】
又、本発明を実施する場合に好ましくは、請求項６に記載した様に、１対の第二カバー帯を、下枠上面の凹部のうちで、両引戸障子を閉鎖方向に移動させた状態で露出する部分を覆う状態で設ける。そして、上記両第二カバー帯の一端部を、上記両引戸障子の下端部のうちで互いに反対側の端部に結合し、これら両第二カバー帯を、上記両引戸障子の開放方向への移動に伴って、下枠の端部と上枠の端部とを連結した竪枠内に収納する様に構成する。
この様に１対の第二カバー帯を設ければ、下枠上面の凹部のうちで、上記両引戸障子を閉鎖方向に移動させた状態で露出する、この下枠の両端寄り部分を覆える。
【実施例】
【００２０】
図１〜５０は、本発明の実施例を示している。本実施例の窓装置は、図１に示す様に、窓枠１の左右両端部に１対の嵌め殺し窓２、２を設け、これら両嵌め殺し窓２、２同士の間の開口部を、それぞれが特許請求の範囲に記載した引戸障子である１対のガラス障子３、３により開閉する様に構成している。このうちの窓枠１は、上辺を構成する上枠４と、下辺を構成する下枠５と、左右の縦辺を構成する竪枠６、６とにより、矩形に構成している。これら各枠４〜６は、それぞれアルミニウム合金の一体押し出し成形材製である。
【００２１】
又、上記両嵌め殺し窓２、２を構成する為に、上記窓枠１の中間部に（両端からこれら両枠４、５の１／４程度中央部に寄った部分に）召し合わせ方立７、７を、上記上枠４と上記下枠５との間に掛け渡す状態で、鉛直方向に設けている。上記両嵌め殺し窓２、２はそれぞれ、上記竪枠６と上記召し合わせ方立７との間部分にガラスパネル８、８を支持固定する事により構成している。尚、本実施例の場合、上記両嵌め殺し窓２、２は、上記窓枠１のうちの屋外寄り（図２の上寄り、図３の左寄り）部分に建て込んでいる。嵌め殺し窓の構造に就いては、従来から周知であり、本発明の要旨とも関係しないので、詳しい説明は省略する。
【００２２】
又、上記各ガラス障子３、３は、それぞれの上辺を構成する上框９、９と、同じく下辺を構成する下框１０、１０と、左右の縦辺を構成する竪框である、召し合わせ框１１、１１及び突き合わせ框１２ａ、１２ｂとにより、ガラスパネル１３、１３の四辺を囲んで成る。これら各框９〜１２も、アルミニウム合金の一体押し出し成形材製である。このうちの召し合わせ框１１、１１は、上記窓装置の閉鎖時に上記両嵌め殺し窓２、２を構成する召し合わせ方立７、７の屋内側に位置して、これら両召し合わせ方立７、７と屋内外方向に亙り互いに対向する。これに対して上記各突き合わせ框１２ａ、１２ｂは、上記窓装置の閉鎖時に上記窓枠１の中央部に位置して、互いに突き合わされる。
【００２３】
上記各ガラス障子３、３は上記窓枠１の内側に、一般的に知られている引戸式窓装置と同様の構造により、水平移動自在に建て込まれている。この為に、上記上枠４の下面の屋内寄り（図３の右寄り）部分に上部案内レール１４を設けている。そして、上記各召し合わせ框１１、１１及び突き合わせ框１２ａ、１２ｂの上端部に支持したガイドブロック１５に形成したガイド溝１６に、上記各上部案内レール１４を係合させている。この構成により、上記各ガラス障子３、３の上端部を上記上枠４に沿う水平移動自在に支持している。この様に、上記各ガラス障子３、３の上辺を上記上枠４に対し水平移動自在に係合させる部分の構造は、従来から広く知られている構造と同様であり、本発明の要点とも関係しない為、詳しい説明は省略する。
【００２４】
これに対して、上記下枠５の屋内側部分には、図３に示す様に、１本の下部案内レール１７を設けている。本実施例の場合、一般的な引戸装置を構成する下枠とは異なり、上記下部案内レール１７を、上記下枠５の上面にこの下枠５の全長に亙って設けた凹部１８の底面から、上方に突出した状態で設けている。又、上記下部案内レール１７の高さ寸法は上記凹部１８の深さ寸法よりも小さくして、これら下部案内レール１７の上端縁が、上記下枠５の上面のうちで上記凹部１８の両側に存在する平面部分よりも下方に位置する様にしている。この構成により、上記下部案内レール１７の存在に拘らず、上記下枠５の上面を幅の狭い上記凹部１８の上端開口部を除き、実質的に平坦にして、高齢者や障害者、更には車椅子等の移動を容易に行なえる様にしている。
【００２５】
この様な構成を有する上記下枠５に沿う移動を可能にする為に、上記各ガラス障子３、３の下辺を構成する前記下框１０、１０の両端部近傍部分に戸車１９を、屋内外方向に設けられた横軸を中心とする回転自在に支持している。これら各戸車１９は、従来から一般的な引戸に使用されていた戸車と同様のもので、外周面中央部に凹溝２０を、全周に亙り形成している。この様な凹溝２０を設けた上記各戸車１９をそれぞれ１対ずつ支持した上記各下框１０、１０は、上記下部案内レール１７と上記各凹溝２０とを係合させる事で、上記下枠５の上方位置に、この下枠５に沿った水平移動を自在に支持している。
以上の構成により、上記各ガラス障子３、３を上記窓枠１の内側に、同一鉛直面内での水平移動自在に建て込んでいる。
【００２６】
尚、図示の例では、上記下枠５として、１対の（或は２対の）引戸障子を引き違い式に建て込んだ窓装置に使用する下枠と共通のものを使用している。この為に、上記下枠５の上面屋外側部分にも下部案内レール１７及び凹部１８が設けられている。即ち、この下枠５の上面には、屋外側から順番に、屋外側突条２２と、中央突条２３と、屋内側突条２４とを設け、隣り合う突条同士の間に存在する凹部１８、１８内に、これら両凹部１８、１８の底面から上方に突出する状態で、それぞれ下部案内レール１７、１７を設けている。但し、このうちの屋外側部分の下部案内レール１７及び凹部１８に関しては、前記嵌め殺し窓２、２を設置した部分に相当する部分に就いては、図３に示す様に、これら両嵌め殺し窓２、２の下框２１により、これら両嵌め殺し窓２、２の間部分に就いては、図２及び後述する図２１に示す様に塞ぎ板７５により、それぞれ塞いでいる。
【００２７】
これに対して、屋内側の下部案内レール１７に関しては、上記各戸車１９を案内する為に、上記下枠５の上面に露出させている。本実施例の場合には、上記中央突条２３の屋内側面にブラケット２５を係止し、上記屋内側の下部案内レール１７の上半部を、このブラケット２５と上記屋内側突条２４との上半部同士の間の中間部に位置させている。そして、前記両ガラス障子３、３を前記窓枠１に建て込んだ状態で、上記各戸車１９の一部は、上記ブラケット２５と屋内側突条２４との上半部同士の間に入り込む。
【００２８】
又、上記両ガラス障子３、３の下框１０の屋内側壁２６の下端部を、上記下部案内レール１７と上記屋内側突条２４との間に進入させている。更に、この屋内側突条２４の上端部屋外側面に係止したシール部材２７に設けたシールリップの先端縁を上記屋内側壁２６の下端部屋内側面に摺接させて、上記下枠５と上記下框１０との間をシールしている。
【００２９】
本発明を上述の様な窓装置に適用した本実施例の場合、図１に略示する様に、可撓性及び押し付け力により移動可能な程度の剛性を有する材料製のカバー帯２８、２８の一端部を、前記両ガラス障子３、３の両縦辺のうちで、閉鎖時に互いに突き合わされる側の端部である、前記両突き合わせ框１２ａ、１２ｂの下端部に連結している。これと共に、上記両カバー帯２８、２８の一部を、上記下枠５のうちで前記凹部１８よりも下側に存在する下部空間２９内に配設している。そして、上記両ガラス障子３、３の移動に伴って上記カバー帯２８、２８を、上記下部空間２９部分と、上記凹部１８の上端開口部との間で移動させる事により、この上端開口部で上記ガラス障子３、３により覆われていない部分を、上記カバー帯２８、２８により覆う様に構成している。
【００３０】
この様なカバー帯２８、２８は、それぞれ金属製の巻き尺を構成する金属板の如きステンレス鋼板、或は合成樹脂を一体押し出し成形する事により造られた長尺材等、可撓性及び押し付け力により移動可能な程度の剛性を有する弾性材製である。本実施例の場合には、上記カバー帯２８、２８として、自由状態での断面形状が円弧形となるものを使用して、このカバー帯２８、２８の肉厚を小さく抑えつつ、剛性の確保を図っている。尚、このカバー帯２８、２８の湾曲方向は、上記凹部１８の上端開口を覆った状態で、その上面が凸曲面となる方向としている。この理由は、上記カバー帯２８、２８と前記下部案内レール１７の上端縁との干渉を防止しつつ、この下部案内レール１７の高さ寸法を確保する為である。
【００３１】
この様なカバー帯２８、２８の幅方向両側縁は、上記凹部１８の上端開口両側部分に設けられたガイド溝３０、３０に、長さ方向の摺動自在に係合している。この為に、前記ブラケット２５と前記屋内側突条２４との互いに対向する面の上端部に、上記各ガイド溝３０、３０を形成している。本実施例の場合、これら各ガイド溝３０、３０を、前記下枠５を構成するアルミニウム合金の押し出し型材製の部材に形成した係止溝に係止した、合成樹脂の押し出し型材製のライナ部材３１、３１ａに形成している。尚、屋内側のライナ部材３１ａに就いては、前記シール部材２７の上端部に、このシール部材２７と一体に設けている。上記両カバー帯２８、２８が上記下枠５に沿って移動する際には、このカバー帯２８、２８の両側縁が上記各ガイド溝３０、３０に案内される。
【００３２】
この様なカバー帯２８、２８は、その一端部を前記ガラス障子３、３の縦辺を構成する突き合わせ框１２ａ、１２ｂの下端部に連結している。この為に本実施例の場合には、上記両カバー帯２８の一端部に図４に示す様な係止片３２を固定し、上記両突き合わせ框１２ａ、１２ｂの下部に、図５〜８に示す様な受具３３を設けている。このうちの係止片３２は、例えば合成樹脂の射出成形により造られたもので、上記カバー帯２８の一端部上面に、リベット及び連結金具３４を介して連結固定されている。又、上記受具３３は、例えば合成樹脂の射出成形により造られたもので、図７に示す様に、上記両突き合わせ框１２ａ、１２ｂの下部で互いに対向する面に設けられた凹部３５内に、昇降のみ自在に装着されている。尚、上記両突き合わせ框１２ａ、１２ｂの形状は多少相違し、これに合わせてこれら両突き合わせ框１２ａ、１２ｂに装着する受具３３の形状も多少相違する。但し、その相違は本質的なものではないので、以下、一方（図７の左方）の突き合わせ框１２ａに装着する受具３３に就いて説明する。
【００３３】
上記受具３３の下端部には、下方に開口した受け溝部３６を設けている。上記カバー帯２８を上記突き合わせ框１２ａの下端部に結合する際には、上記受具３３を下降させて、上記受け溝部３６内に上記係止片３２の係止突壁３７を進入させる。この結果、上記突き合わせ框１２ａの水平移動に伴って、上記カバー帯２８の一端部が押し引きされる様になる。又、上記受具３３の中央部には弾性係止片３８を形成し、この弾性係止片３８を、上記突き合わせ框１２ａの仕切板部３９の上下２個所位置に形成した係止孔若しくは係止凹部に係脱自在としている。これら両係止孔若しくは係止凹部の上下位置は、次の様に規制している。尚、上記仕切板部３９の下端部は、上記受具３３の必要とする昇降量を確保する為に、これら両係止孔若しくは係止凹部よりも下側位置で少し切り欠いている。
【００３４】
上記カバー帯２８の一端寄り部分を前記両ガイド溝３０、３０に係合させると共に、上側の係止孔若しくは係止凹部に上記弾性係止片３８を係合させた状態で、上記受け溝部３６の下方に上記係止突壁３７を進退自在とする。即ち、この状態では、この受け溝部３６を構成する為に上記受具３３の先端部下面に設けた１対の垂下壁部４０ａ、４０ｂのうちの先端寄り（図５の左寄り）の垂下壁部４０ａの下端縁位置が上記係止突壁３７の上端縁位置よりも下方に存在するが、基端寄り（図５の右寄り）の垂下壁部４０ｂの下端縁位置は上記係止突壁３７の上端縁位置よりも上方に存在する。この状態で、前記下枠５に沿って上記カバー帯２８と前記ガラス障子３とを相対変位させれば、上記受け溝部３６の下方に上記係止突壁３７を進退させられる。これに対して、下側の係止孔若しくは係止凹部に上記弾性係止片３８を係合させた状態では、上記基端寄りの垂下壁部４０ｂの下端縁位置も、上記係止突壁３７の上端縁位置よりも下方に存在する様になる。この状態では、上記受け溝部３６と上記係止突壁３７との係合が外れなくなって、上記突き合わせ框１２ａの水平移動に伴い、上記カバー帯２８の一端部が押し引きされる様になる。尚、上記受具３３の上下２個所位置に形成した円形の貫通孔は、上記突き合わせ框１２ａと下框１０とを連結するタッピングねじを回転させたり、前記戸車１９の高さ調節を行なう工具（ドライバ）を挿通する為のものである。
【００３５】
上述の様にして、その一端部を前記１対のガラス障子３、３の互いに対向する縦辺を構成する突き合わせ框１２ａ、１２ｂの下端部外側面に結合した上記カバー帯２８は、図９〜２１に示す様な構造により、その中間部を１８０度折り返している。要するに、上記両ガラス障子３、３の移動に伴って上記カバー帯２８の一端部を押し引きし、このカバー帯２８を、前記下部空間２９部分と、前記凹部１８の上端開口部に設けた前記両ガイド溝３０、３０との間で移動させて、この上端開口部のうちで上記ガラス障子３、３により覆われていない部分を、上記両カバー帯２８、２８により覆う様に構成している。
【００３６】
本実施例の場合には、これら両カバー帯２８、２８の中間部を１８０度折り返す為に、図９〜１８に示す様なガイドブロック４１を、図１９〜２１に示す様に、前記下枠５の中央部に組み込んでいる。このガイドブロック４１は、合成樹脂を射出成形して成るもので、それぞれが半円形である１対のガイド部４２、４２を有する。これら両ガイド部４２、４２はそれぞれ、上記両ガラス障子３、３の突き合わせ框１２ａ、１２ｂの下端部にそれぞれの一端を連結した、上記両カバー帯２８、２８の中間部を、それぞれ１８０度ずつ折り返す為のものである。この様な両ガイド部４２、４２は、上記ガイドブロック４１を構成する取付基部４３の屋内側面に、互いの突縁同士を互いに対向させた状態で、上記下枠５の長さ方向に少し間隔をあけて設けられている。
【００３７】
又、本実施例の場合には、上記取付基部４３の上端部で上記両ガイド部４２、４２の上方位置に天板部４４を、この天板部４４の屋外側部分に簀の子状部４５を、それぞれ設けている。このうちの天板部４４は、上板部と下板部とを備えた上下二重構造で、これら両板部同士の間に、図１７〜１８に示す様に、多数の繊維を配列して成るブラシ状体４６の基半部（図１７の上半部、図１８の右半部）を挟持した状態で接着固定している。又、上記簀の子状部４５は、上記ガイドブロック４１を設置した、上記下枠５の中央部上面に雨水が溜まるのを防止する為に設けている。この様なブラシ状体４６及び上記簀の子状部４５は、本発明の要旨とは関係しないので、後で説明する。
【００３８】
上述の様なガイドブロック４１を装着する為に、上記下枠５の中央部では、前記ブラケット２５及び前記下部案内レール１７（図３参照）を不連続とすると共に、前記中央突条２３の屋内側面及び前記屋内側突条２４の屋外側面に形成した突部を一部除去している。そして、上記取付基部４３の下面を、上記下枠５の水平板部４８の中央部で、上記中央突条２３の屋内側面と上記屋内側突条２４の屋外側面との間部分の屋外寄り部分の上面に当接させている。更に、上記取付基部４３の中央部に上下方向に形成した取付孔を上方から挿通した取付ねじ４７により、この取付基部４３を上記下枠５の中央部に支持固定している。
【００３９】
又、図示の例では、上記下枠５の中央部で上記ガイドブロック４１の下方に、図２２〜２６に示す様な補助ガイドブロック４９を支持固定している。この補助ガイドブロック４９は、上記下枠５の中央部に上方から差し込まれた前記両カバー帯２８、２８の進行方向を上下方向から水平方向に変換して、上記下枠５の下部空間２９に導く為のものである。この様な補助ガイドブロック４９を支持固定する為に、上記下枠５の中央部では、図２９に示す様に、前記下部案内レール１７を切除して不連続部とすると共に、上記水平板部４８の一部を切除して透孔５０を形成している。又、シール部材２７（図３参照）を係止する為に、前記屋内側突条２４の上端部屋外側面に形成した係止突条の一部も、上記下枠５の中央部で切除している。これに伴って、上記シール部材２７も、この下枠５の中央部で不連続になっている。
【００４０】
上記補助ガイドブロック４９は、合成樹脂を射出成形して成るもので、中央部下半に、ガイドブロック部５１を有する。このガイドブロック部５１は、富士山の頂部を上方に延ばした如き形状としたもので、上記下枠５に装着した状態でこの下枠５の長さ方向両側面に、それぞれ四分の一凹円弧形のガイド面５２、５２を有する。これら両ガイド面５２、５２の下端側である、上記ガイドブロック部５１の両端縁は、それぞれ極薄の尖端縁となっている。又、上記ガイドブロック部５１の屋内側には、鉛直壁部５３を設け、この鉛直壁部５３の両側上下方向中央部から屋外側に突出する状態で、１対の取付フランジ部５４、５４を形成している。又、上記鉛直壁部５３の上端部に、上記下枠５の長さ方向に長いシール板部５５を設けている。このシール板部５５は、上記シール部材２７の不連続部のシール性を確保する為のもので、周面（＝長さ方向両端面及び内外両側面＝図２２〜２６に梨子地で表した部分）に、ゴムの如きエラストマー等の弾性シール材５６を貼付している。更に、上記シール板部５５を含めて、上記鉛直壁部５３の屋外側面には、前記両カバー帯２８、２８の端縁部との干渉を防止する為の凹部５７を形成している。
【００４１】
上述の様な構成を有する上記補助ガイドブロック４９は、上記両取付フランジ部５４、５４の下面よりも下側に存在する下半部を、上記透孔５０を通じて前記下部空間２９内に挿入する。この状態で上記両取付フランジ部５４、５４を、前記水平板部４８の上面にねじ止め固定する。又、この状態で上記シール板部５５は上記シール部材２７の不連続部に位置し、上記弾性シール材５６とこのシール部材２７の端面とが当接若しくは近接対向する。更に、上記両ガイド面５２、５２の下端側端部は、上記下部空間２９内に配設した、次述するガイドチューブ５８の開口部に整合させて、このガイドチューブ５８との間で、上記両カバー帯２８、２８の受渡を円滑に行なわせる様にしている。
【００４２】
上記ガイドチューブ５８は、アルミニウム合金、合成樹脂等の一体押し出し成形材製で、上記両カバー帯２８、２８を摺動自在に収納する為の、矩形チューブ状の収納部５９と、この収納部５９の上面から上方に突出した係止突条６０とを有する。このうちの収納部５９の中央部は、図３０に示す様に、底板部を除く部分を切除して、切除した部分に、上記補助ガイドブロック４９の下半部を挿入自在としている。又、上記係止突条６０はその中央部を、上記収納部５９よりも少し広い範囲で切除している。
【００４３】
この様なガイドチューブ５８は、図３２に示す様に、上記係止突条６０の上端部を、前記下枠５の一部に、この下枠５と前記突き合わせ框１２ａ（１２ｂ）とを結合する為のタッピングねじを螺合する為に設けたタッピング溝６１に係合させつつ、上記下枠５の下部空間２９内に、この下枠５の端部開口から挿入する。そして、上記底板部を除いて切除した上記収納部５９の中央部を、前記水平板部４８の一部を切除して形成した透孔５０（図２９参照）の下側に位置させた状態で、前記補助ガイドブロック４９の下半部をこの透孔５０に、上記水平板部４８の上方から挿入し、この補助ガイドブロック４９の下面を、上記収納部５９の底板部の中央部上面に当接させる。この結果、上記ガイドチューブ５８が上記下部空間２９内に、水平方向の移動を阻止された状態で、がたつきなく支持固定されると共に、上記底板部の上面と前記両ガイド面５２、５２とが滑らかに連続する。尚、これら両ガイド面の下端部が上記底板部の上面よりも多少上側に位置する事は差し支えない（逆は不可である）。
【００４４】
上述の様なガイドチューブ５８の収納部５９の左右両側部分には、それぞれの一端部を上記両突き合わせ框１２ａ、１２ｂの下端部に連結した前記両カバー帯２８、２８の中間部乃至他端部を挿入している。この挿入作業は、上記下枠５を構成する水平板部４８の中央部に形成した上記透孔５０を通じて上記両カバー帯２８、２８を、それぞれの他端部を下にし、この他端部を上記両ガイド面５２、５２に突き当てる様にして行なう。これら両ガイド面５２、５２に突き当てられた上記両カバー帯２８、２８の他端部は、これら両ガイド面５２、５２に案内されて湾曲しつつ上記ガイドチューブ５８の収納部５９の左右両側部分に入り込む。この際、上記両カバー帯２８、２８の他端部乃至中間部を上記両ガイド面５２、５２に手指により抑え付ける。又、挿入作業は、カバー帯２８、２８毎に前後して行なう。
【００４５】
尚、上記補助ガイドブロック４９の上方に前記ガイドブロック４１をねじ止め固定する作業並びに上記両カバー帯２８、２８の一端部を上記両突き合わせ框１２ａ、１２ｂの下端部に連結する作業は、上記両カバー帯２８、２８の中間部乃至他端を上記ガイドチューブ５８の収納部５９の左右両側部分に挿入した後に行なう。具体的には、この挿入作業の後に、先ず、上記両カバー帯２８、２８の一端寄り部分を上記下枠５の上方に引き出した状態で、これら両カバー帯２８、２８の中間部一端寄り部分を上記ガイドブロック４１に設けた前記両ガイド部４２、４２に巻き掛ける。次いで、このガイドブロック４１を上記下枠５の中央部にねじ止め固定してから、前記図４に示した様な係止片３２と、前記図５〜８に示す様な受具３３とを係合させて、上記両カバー帯２８、２８の一端部を上記両突き合わせ框１２ａ、１２ｂの下端部に連結する。これら一連の作業を完了した状態では、前述の図１９に示す様に、上記両カバー帯２８、２８の中間部が、上記ガイドブロック４１のガイド部４２、４２により１８０度折り返された状態となる。
【００４６】
上述の様にして、それぞれの一端部を上記両突き合わせ框１２ａ、１２ｂの下端部に連結されると共に、それぞれの中間部を１８０度折り返された上記両カバー帯２８、２８は、前記両ガラス障子３、３を開放方向に移動させる事に伴い、上記下枠５の上面に形成された凹部１８の上端開口を覆う。即ち、上記両ガラス障子３、３を開放方向に移動させると、それまでこれらガラス障子３、３により上方を覆われていた、上記下枠５の中央部が露出する。同時に、上記収納部５９から上記カバー帯２８、２８が、これら両ガラス障子３、３の移動方向後方に位置する上記ガイドブロック４１部分から引き出される。そして上記両カバー帯２８、２８が、それぞれの両側縁を前記各ガイド溝３０、３０に係合させつつ上記凹部１８の上端開口部に引き出されて、この凹部１８の上端開口部を覆う。この状態では、上記下枠５の上面の体裁を良好にし、且つ、この凹部１８内に異物が落下する事を防止できる。
【００４７】
本発明に直接関連する部分の構成及び作用は上述の通りであるが、以下、本発明の実施に付随して実施する事になる、他の構造に就いて説明する。以下に説明する、この他の構造としては、次の(a)(b)の２通りの構造が存在する。
(a) 上記両ガラス障子３、３を閉鎖位置に移動させた状態で露出する上記下枠５の両端部に関して、上記凹部１８の上端開口部を第二カバー帯により覆う構造。
(b) 上記下枠５の中央部に上記ガイドブロック４１及び前記補助ガイドブロック４９を設置した事に伴い、この下枠５の中央部及び上記両ガラス障子３、３の突き合わせ部の周辺部のシール性を確保する為の構造。
【００４８】
このうちの(a) の構造に就いて、先ず説明する。この(a) の構造は、基本的には前述の特願２００３−３５０５９３号に係る先発明の構想をそのまま利用できる。又、この特願２００３−３５０５９３号には、竪枠と竪框との間で下枠上面の凹部の上端開口をカバー帯で覆う構造に関して、次の(イ)(ロ)に示す２通りの構造が記載されている。
(イ) カバー帯の一端部を下枠の端部に結合支持すると共に、このカバー帯の中間部乃至他端部を竪框の内部に収納する。
(ロ) カバー帯の一端部を竪框の下端部に結合支持すると共に、このカバー帯の中間部乃至他端部を竪枠の内部に収納する。
【００４９】
これら(イ)(ロ)に示す２通りの構造のうちの(イ) に示した構造の場合には、カバー帯の両端縁部を凹部の開口部に載せるだけで、このカバー帯の両端縁部をこの開口部に沿って設けたガイド溝３０、３０（図３参照）に係合させる事はできない。これに対して上記(ロ) に記載した構造は、カバー帯の両端縁部をこの開口部に沿って設けたガイド溝３０、３０に係合させて、このカバー帯の浮き上りを防止する事ができる。この為、図示の実施例では、上記(ロ) に記載した構造を採用している。
【００５０】
この(ロ) に記載した構造を構成する為に図示の例では、１対の第二カバー帯６２（図２参照）の一端部を、前記両ガラス障子３、３の召し合わせ框１１の下端部に連結すると共に、この第二カバー帯６２の中間部乃至他端寄り部分の両側縁を、上記両ガイド溝３０、３０に係合させている。この第二カバー帯６２の一端と上記召し合わせ框１１の下端部との連結部、並びに、この第二カバー帯６２の両側縁と上記両ガイド溝３０、３０との係合部の構造は、前記両カバー帯２８、２８の場合と同様である。上記(ロ) に記載した構造を構成する為に、前記窓枠１の竪辺を構成する竪枠６内に、図２に示す様に、竪方向収納部６３を設けている。そして、この竪方向収納部６３の下端開口と上記両ガイド溝３０、３０の水平方向端部との間に、上記第二カバー帯６２の進行方向を９０度変更する為のガイドブロック（図示省略）を設けている。このガイドブロックは、ナイロンの如き滑り易い合成樹脂により造り、その内部に上記第二カバー帯６２の進行方向を、水平方向と鉛直方向とで９０度変更する為のガイド通路を設けている。このガイド通路は、上記竪方向収納部６３の下端開口に整合する鉛直部と、上記両ガイド溝３０、３０の水平方向端部に整合する水平部とを、四分の一円弧状に湾曲した連結部により滑らかに連続させたものである。
【００５１】
上述の様に構成するので、上記両ガラス障子３、３を閉鎖方向に向け前記下枠５の中央部に移動させると、上記第二カバー帯６２が上記竪方向収納部６３から上記両ガイド溝３０、３０の間部分に引き出され、上記下枠５の両端部に関して、上記凹部１８の上端開口部を覆う。これに対して、上記両ガラス障子３、３を開放方向に向け上記下枠５の端部に移動させると、上記第二カバー帯６２が、上記両ガイド溝３０、３０の間部分から上記竪方向収納部６３に押し込まれる。この為、上記両ガラス障子３、３の移動を可能にし、且つ、これら両ガラス障子３、３を閉鎖方向に移動させた状態で露出する、上記下枠５の両端寄り部分で、上記凹部１８の上端開口を覆える。
【００５２】
次に、前記(b) の、上記下枠５の中央部及び上記両ガラス障子３、３の突き合わせ部の周辺部のシール性を確保する為の構造に就いて説明する。これら両ガラス障子３、３の突き合わせ框１２ａ、１２ｂ同士の間のシールは、図２、７に示す様に、一方の突き合わせ框１２ａに向け張り出す状態で他方（図２、７の右方）の突き合わせ框１２ｂに形成した係止部６４、６４に係止した１対のシール材６５、６５を構成するシールリップを、上記一方の突き合わせ框１２ａの先端部両側面に弾接させる事により図っている。尚、上記両シール材６５、６５が下方に落下しない様にすべく、上記両係止部６４、６４の下端部には、図３３〜３４に示す様に止めブラケット６６を嵌合固定している。この止めブラケット６６は、合成樹脂製で上記係止部６４の下端部に嵌合固定自在な固定片６７と、ゴムの如きエラストマー等の弾性材製で、この固定片６７にその基部を結合固定されたシール片６８とから成る。この様な止めブラケット６６は、上記固定片６７を上記係止部６４に嵌合固定した状態で、上記シール片６８の上端面に上記シール材６５の下端面を突き当てている。そして、このシール材６５の落下を防止すると共に、上記両突き合わせ框１２ａ、１２ｂ同士の間のシールを、これら両突き合わせ框１２ａ、１２ｂの下端部に至る迄図れる様にしている。尚、この様な構造は、従来から知られていた構造である。
【００５３】
特に、本実施例の場合には、図３５に示した構造により、上記下枠５の中央部及び上記両ガラス障子３、３の突き合わせ部の周辺部のシール性の確保を図っている。この部分のシール性の確保を図る為に、上記両突き合わせ框１２ａ、１２ｂの下端部に、それぞれ気密片６９ａ、６９ｂを固定している。これら両気密片６９ａ、６９ｂのうち、上記一方の突き合わせ框１２ａの下端部に固定する、図３５の左側の気密片６９ａは図３６〜４１に示す様に、同じく右側の気密片６９ｂは図４２〜４７に示す様に、それぞれ形成されている。これら図３６〜４７中、梨子地で表した部分は、ゴムの如きエラストマー等の弾性材製のシートを貼着した部分、それ以外の部分は合成樹脂を射出成形する事により造られた部分である。
【００５４】
上記両気密片６９ａ、６９ｂはそれぞれ、上記両突き合わせ框１２ａ、１２ｂの下端部にがたつきなく内嵌される嵌合部７１ａ、７１ｂと、この嵌合部７１ａ、７１ｂの下端部に形成した外向フランジ状の鍔部７２ａ、７２ｂと、この鍔部７２ａ、７２ｂよりも下方に垂れ下がった垂下壁部７３ａ、７３ｂとから成る。この様な上記両気密片６９ａ、６９ｂはそれぞれ、図４８〜５０に示す様に、金属製の補強板７０で抑え付ける状態で、上記両突き合わせ框１２ａ、１２ｂの下端部にねじ止め固定している。この際、上記鍔部７２ａ、７２ｂの上面にコーキング剤等のシール剤を塗布して、この鍔部７２ａ、７２ｂの上面と上記両突き合わせ框１２ａ、１２ｂの下端縁との間をシールしている。
【００５５】
上記両垂下壁部７３ａ、７３ｂの水平方向に関して基端部（互いに反対側の端部）は、前記両ガラス障子３、３の下辺を構成する下框１０の屋内側壁２６（図３参照）の下端部で前記下枠５の上面よりも下方に存在する部分と連続している。又、上記両ガラス障子３、３を閉鎖位置に移動させた状態で、上記両垂下壁部７３ａ、７３ｂの水平方向に関して先端縁同士は互いに突き合わされる。又、これら両垂下壁部７３ａ、７３ｂの屋内側面と上記屋内側壁２６の下端部の屋内側面とは同一鉛直面内に存在する。この為、上記両ガラス障子３、３を閉鎖位置に移動させた状態では、前記シール部材２７によるシール線（このシール部材２７のシールリップと相手部材との接触部）が、上記両突き合わせ框１２ａ、１２ｂの下方位置に於いて不連続になる事はない。尚、上記シール部材２７を前記補助ガイドブロック４９部分で不連続とする代りに、この不連続部のシールを、前記弾性シール材５６により図る事もできる。又、上記両ガラス障子３、３を閉鎖位置に移動させる際には、上記両垂下壁部７３ａ、７３ｂが、前記ブラシ状体４６を構成する多数の繊維を押し退け（弾性変形させ）つつ、前記下部案内レール１７と前記屋内側突条２４との間部分に進入する。即ち、上記ブラシ状体４６は、上記ガラス障子３、３を開放位置に移動させた状態で上記間部分を塞ぐと共に、このガラス障子３、３を閉鎖位置に移動させる際に、上記両垂下壁部７３ａ、７３ｂが上記間部分に移動する事を許容する為に設けている。
【００５６】
又、上記両ガラス障子３、３を閉鎖位置に移動させた状態で、前記シール片６８の下端面は、上記両垂下壁部７３ａ、７３ｂの先端部上面に当接若しくは近接対向する。この結果、前記下枠５の中央部及び上記両ガラス障子３、３の突き合わせ部の周辺部のシール性を、実用上十分なレベルで図れる。
【００５７】
更に、図示の例では、上記両ガラス障子３、３を閉鎖位置に移動させた状態で、前記両気密片６９ａ、６９ｂの屋外側に突出する状態で設けた庇部７４ａ、７４ｂが、前記ガイドブロック４１の上端部屋外側に設けた簀の子状部４５の上方に位置する。この簀の子状部４５は、上記下枠５の中央部上面に多量の雨水が溜まる事を防止する為に設けているが、上記両ガラス障子３、３を閉鎖位置に移動させた状態で上記簀の子状部４５が屋外側に露出していると、これら両ガラス障子３、３に吹き付けた風がこの簀の子状部４５を通じて上記下枠５内に入り込み、この下枠５内の圧力を上昇させる可能性がある。そして、この下枠５内の圧力が上昇すると、この下枠５内に雨水が存在した場合に、この雨水が前記シール部材２７等によるシール部を通過して、屋内側に吹き出す可能性がある。これに対して図示の例では、上記両庇部７４ａ、７４ｂが上記簀の子状部４５の上方を覆う為、上述の様な原因で、室内に雨水が吹き出す事を防止できる。
【図面の簡単な説明】
【００５８】
【図１】本発明の実施例を示す、窓装置を屋内側から見た状態で示す正面図。
【図２】図１の拡大Ａ−Ａ断面図。
【図３】同拡大Ｂ−Ｂ断面図。
【図４】係止片を固定したカバー帯の一端部の部分正面図。
【図５】突き合わせ框の下端部に装着する受具の正面図。
【図６】図５の右方から見た図。
【図７】突き合わせ框への組み付け状態を示す平面図。
【図８】同側面図。
【図９】ガイドブロックを屋内側上方から見た状態で示す斜視図。
【図１０】同じく屋外側上方から見た状態で示す斜視図。
【図１１】同じく屋内側下方から見た状態で示す斜視図。
【図１２】同じく屋外側下方から見た状態で示す斜視図。
【図１３】同じく屋内側から見た状態で示す正面図。
【図１４】同じく屋外側から見た状態で示す背面図。
【図１５】同じく平面図。
【図１６】同じく図１３の右方から見た図。
【図１７】ガイドブロックにブラシ状体を装着した状態で示す平面図。
【図１８】図１７の右方から見た図。
【図１９】ガイドブロック及び補助ブロックとカバー帯との組み付け状態を示す、図１のＣ部に相当する部分正面図。
【図２０】図１９の上方から見た平面図。
【図２１】図１９の右方から見た部分側面図。
【図２２】補助ガイドブロックを屋外側上方から見た状態で示す斜視図。
【図２３】同じく屋内側上方から見た状態で示す斜視図。
【図２４】同じく屋外側下方から見た状態で示す斜視図。
【図２５】同じく屋内側下方から見た状態で示す斜視図。
【図２６】同じく屋外側から見た状態で示す正面図。
【図２７】下枠へのガイドブロック及び補助ガイドブロックの組み付け状態を示す平面図。
【図２８】同じく図２７の右方から見た側面図。
【図２９】ガイドブロック及び補助ガイドブロックを組み付ける為に加工した、下枠中央部の形状を示す平面図。
【図３０】ガイドチューブの正面図。
【図３１】図３０のＤ−Ｄ断面図。
【図３２】下枠への組み付け状態を示す断面図。
【図３３】突き合わせ框の下端部に装着する止めブラケットの側面図。
【図３４】同じく平面図。
【図３５】下枠の中央部及び両ガラス障子の突き合わせ部の周辺部のシール性を確保する為の構造を取り出した状態で示す斜視図。
【図３６】一方の気密片を屋外側上方戸先側から見た状態で示す斜視図。
【図３７】同じく屋内側上方で逆側から見た状態で示す斜視図。
【図３８】同じく屋外側下方で逆側から見た状態で示す斜視図。
【図３９】同じく屋内側から見た正面図。
【図４０】同じく図３９の上方から見た平面図。
【図４１】同じく図３９の左方から見た側面図。
【図４２】他方の気密片を屋外側上方戸先側から見た状態で示す斜視図。
【図４３】同じく屋内側上方で逆側から見た状態で示す斜視図。
【図４４】同じく屋外側下方で逆側から見た状態で示す斜視図。
【図４５】同じく屋内側から見た正面図。
【図４６】同じく図４５の上方から見た平面図。
【図４７】同じく図４５の左方から見た側面図。
【図４８】突き合わせ框下端部への気密片の組み付け状態を示す正面図。
【図４９】同じく平面図。
【図５０】同じく側面図。
【符号の説明】
【００５９】
１    窓枠
２    嵌め殺し窓
３    ガラス障子
４    上枠
５    下枠
６    竪枠
７    召し合わせ方立
８    ガラスパネル
９    上框
１０    下框
１１    召し合わせ框
１２ａ、１２ｂ  突き合わせ框
１３    ガラスパネル
１４    上部案内レール
１５    ガイドブロック
１６    ガイド溝
１７    下部案内レール
１８    凹部
１９    戸車
２０    凹溝
２１    下框
２２    屋外側突条
２３    中央突条
２４    屋内側突条
２５    ブラケット
２６    屋内側壁
２７    シール部材
２８    カバー帯
２９    下部空間
３０    ガイド溝
３１、３１ａ  ライナ部材
３２    係止片
３３    受具
３４    連結金具
３５    凹部
３６    受け溝部
３７    係止突壁
３８    弾性係止片
３９    仕切板部
４０ａ、４０ｂ  垂下壁部
４１    ガイドブロック
４２    ガイド部
４３    取付基部
４４    天板部
４５    簀の子状部
４６    ブラシ状体
４７    取付ねじ
４８    水平板部
４９    補助ガイドブロック
５０    透孔
５１    ガイドブロック部
５２    ガイド面
５３    鉛直壁部
５４    取付フランジ部
５５    シール板部
５６    弾性シール材
５７    凹部
５８    ガイドチューブ
５９    収納部
６０    係止突条
６１    タッピング溝
６２    第二カバー帯
６３    竪方向収納部
６４    係止部
６５    シール材
６６    止めブラケット
６７    固定片
６８    シール片
６９ａ、６９ｂ  気密片
７０    補強板
７１ａ、７１ｂ  嵌合部
７２ａ、７２ｂ  鍔部
７３ａ、７３ｂ  垂下壁部
７４ａ、７４ｂ  庇部
７５    塞ぎ板
【図１】
2006144335.tif 000003
【図２】
2006144335.tif 000004
【図３】
2006144335.tif 000005
【図４】
2006144335.tif 000006
【図５】
2006144335.tif 000007
【図６】
2006144335.tif 000008
【図７】
2006144335.tif 000009
【図８】
2006144335.tif 000010
【図９】
2006144335.tif 000011
【図１０】
2006144335.tif 000012
【図１１】
2006144335.tif 000013
【図１２】
2006144335.tif 000014
【図１３】
2006144335.tif 000015
【図１４】
2006144335.tif 000016
【図１５】
2006144335.tif 000017
【図１６】
2006144335.tif 000018
【図１７】
2006144335.tif 000019
【図１８】
2006144335.tif 000020
【図１９】
2006144335.tif 000021
【図２０】
2006144335.tif 000022
【図２１】
2006144335.tif 000023
【図２２】
2006144335.tif 000024
【図２３】
2006144335.tif 000025
【図２４】
2006144335.tif 000026
【図２５】
2006144335.tif 000027
【図２６】
2006144335.tif 000028
【図２７】
2006144335.tif 000029
【図２８】
2006144335.tif 000030
【図２９】
2006144335.tif 000031
【図３０】
2006144335.tif 000032
【図３１】
2006144335.tif 000033
【図３２】
2006144335.tif 000034
【図３３】
2006144335.tif 000035
【図３４】
2006144335.tif 000036
【図３５】
2006144335.tif 000037
【図３６】
2006144335.tif 000038
【図３７】
2006144335.tif 000039
【図３８】
2006144335.tif 000040
【図３９】
2006144335.tif 000041
【図４０】
2006144335.tif 000042
【図４１】
2006144335.tif 000043
【図４２】
2006144335.tif 000044
【図４３】
2006144335.tif 000045
【図４４】
2006144335.tif 000046
【図４５】
2006144335.tif 000047
【図４６】
2006144335.tif 000048
【図４７】
2006144335.tif 000049
【図４８】
2006144335.tif 000050
【図４９】
2006144335.tif 000051
【図５０】
2006144335.tif 000052